(57)【要約】【課題】より利便性の高い収納ケースの提供。【解決手段】袋状若しくは箱状の収納ケース本体部１１と、収納ケース本体部１１内に折り畳んで収められる折り畳み収納部１２と、折り畳み収納部１２を、収納ケース本体部１１の内部から出没可能とさせる引き出し機構と、を備えることにより、内部に収納したものを簡便に見つけ出し、取り出すことができるようにする。【選択図】図５
0003206723.tif 000002
【実用新案登録請求の範囲】
【請求項１】
袋状若しくは箱状の収納ケース本体部と、
収納対象物を収納する収納部であって、折り畳み可能に構成されており、折り畳むことで前記収納ケース本体部内に収められる折り畳み収納部と、
前記折り畳み収納部を、前記収納ケース本体部の内部から出没可能とさせる引き出し機構と、
を備えることを特徴とする収納ケース。
【請求項２】
前記引き出し機構が、
前記収納ケース本体部の内面に両端を固定されたひも状部材に対し、前記折り畳み収納部の端部に取り付けられた環状部材が摺動可能に挿通されること
によって構成されたことを特徴とする請求項１に記載の収納ケース。
【請求項３】
前記折り畳み収納部が、前記折り畳みの線に沿って分割された複数の個別収納部を備えることを特徴とする請求項１又は請求項２に記載の収納ケース。
【考案の詳細な説明】
【技術分野】
【０００１】
本考案は、収納ケースに関する。
【背景技術】
【０００２】
筆入れや、小物入れ、化粧品ポーチなど、各種の物品を収納する収納ケースが広く利用されている。
このような収納ケースに関連する従来技術が特許文献１によって開示されている。
【先行技術文献】
【特許文献】
【０００３】
【特許文献１】特開２０１５−８９４５５
【考案の概要】
【考案が解決しようとする課題】
【０００４】
収納ケースは、その容量を大きくすればより多くのものを収納でき、収納力という面では優れるが、沢山のものを収納した場合、必要なものを探して取り出すことが煩雑になってしまうという問題がある。
【０００５】
本考案は、上記の点に鑑み、収納物の中から必要なものを容易に見つけ出し、取り出すことが可能となる、より利便性の高い収納ケースを提供することを目的とする。
【課題を解決するための手段】
【０００６】
（構成１）
袋状若しくは箱状の収納ケース本体部と、収納対象物を収納する収納部であって、折り畳み可能に構成されており、折り畳むことで前記収納ケース本体部内に収められる折り畳み収納部と、前記折り畳み収納部を、前記収納ケース本体部の内部から出没可能とさせる引き出し機構と、を備えることを特徴とする収納ケース。
【０００７】
（構成２）
前記引き出し機構が、前記収納ケース本体部の内面に両端を固定されたひも状部材に対し、前記折り畳み収納部の端部に取り付けられた環状部材が摺動可能に挿通されることによって構成されたことを特徴とする構成１に記載の収納ケース。
【０００８】
（構成３）
前記折り畳み収納部が、前記折り畳みの線に沿って分割された複数の個別収納部を備えることを特徴とする構成１又は構成２に記載の収納ケース。
【考案の効果】
【０００９】
本考案の収納ケースによれば、収納ケース本体部の内部から引き出すことができる折り畳み収納部を備えるため、折り畳み収納部を広げることで、これに収納した物を容易に見つけ出し、取り出すことが可能となる。
【図面の簡単な説明】
【００１０】
【図１】本考案に係る実施形態の収納ケースを示す図
【図２】実施形態の収納ケースの使用を説明するための図
【図３】引き出し機構を説明する図
【図４】引き出し機構を説明する図
【図５】収納ケースの使用状態を示す図
【図６】収納ケースの他の態様の一例を示す図
【考案を実施するための形態】
【００１１】
以下、本考案の実施態様について、図面を参照しながら具体的に説明する。なお、以下の実施態様は、本考案を具体化する際の一形態であって、本考案をその範囲内に限定するものではない。
【００１２】
図１は、本考案に係る実施形態の収納ケースを示す図であり、（ｃ）：正面図、（ｅ）：裏面図であり、（ａ）、（ｂ）、（ｄ）はそれぞれ側面図である。
本実施形態の収納ケース１は、筆入れを例としており、ポリエステル生地で形成された袋状の収納ケース本体部１１を有し、図１、２に示されるように、ファスナー１４を備えることにより、側面部を開口できるように形成されている。
収納ケース本体部１１の外面の正面側には、ポケットＰ４（外部個別収納部）が形成され、ここにも筆記用具やその他のものを収納することができる。
【００１３】
図２は、収納ケース１において、ファスナー１４を開けた使用状態を示す図である。
収納ケース１は、収納ケース本体部１１内に収められる折り畳み収納部１２を備える。当該折り畳み収納部１２は、図２（ｂ）に示されるように、ポケットＰ１〜３の３つのポケット（個別収納部）を有する矩形状の収納部であり、収納ケース本体部１１と同様にポリエステル生地（可撓性の部材）で形成される。折り畳み収納部１２は、図２から理解されるように、折り畳み可能に構成されており、折り畳むことで前記収納ケース本体部内に収められる。本実施形態においては、３つ折りに折り畳まれて収納ケース本体部１１内に収められるものであり、折り畳みの線に沿って分割された複数のポケット（ポケットＰ１〜３）を備えている。
折り畳み収納部１２に形成されるポケットＰ１〜３は、折り畳み収納部１２の同一面に形成される。即ち、図２（ｂ）に示されるごとく、収納ケース本体部１１から折り畳み収納部１２が引き出された状態において、ポケットＰ１〜３が正面側を向くものである。また、前述のごとく、収納ケース本体部１１の外面に設けられるポケットＰ４も、正面側に設けられるため、全てのポケットＰ１〜４が正面側を向くものである。
また、折り畳み収納部１２の端部には、引き出しのためのつまみ部１３が形成される。
【００１４】
図３は、折り畳み収納部１２を引き出すための引き出し機構を説明する概略図（収納ケース本体部１１については、その内部のみを示した図）である。
図２（ｂ）や図３に示されるように、折り畳み収納部１２はポケットＰ１〜３が形成された矩形状の収納部であり、引き出し機構は、当該折り畳み収納部１２を収納ケース本体部１１の内部から出没可能とさせるためのものである。
本実施形態における引き出し機構は、収納ケース本体部１１の内面に両端を固定されたバンド（ひも状部材）１５に対し、折り畳み収納部１２の端部に取り付けられたリング（環状部材）１６が摺動可能に挿通されることで構成される。
【００１５】
図４は、折り畳み収納部１２の引き出しについて説明する図である。
図２（ａ）に示されるように、収納状態では、折り畳み収納部１２は折り畳まれて収納ケース本体部１１の中に収納されている。この状態からつまみ部１３を引っ張ることにより、折り畳み収納部１２を取り出すと、折り畳み収納部１２の折り畳みが展開されつつ、図４（ａ）、（ｂ）に示すように、バンド１５に対してリング１６がスライドすることで、折り畳み収納部１２の全体が、収納ケース本体部１１から引き出されるものである。
【００１６】
以上の構成を有する本実施形態の収納ケース１によれば、収納ケース本体部１１の内部から引き出すことができる折り畳み収納部１２を備えるため、収納した物を容易に見つけ出し、取り出すことが可能となる。
即ち、図５に示されるように、収納ケース本体部１１から折り畳み収納部１２を引き出して広げることで、どの筆記用具がどこにあるかが一目瞭然となり、出し入れの作業性も良好なものである。
前述の説明からも明らかなように、収納ケース本体部１１から折り畳み収納部１２を引き出す操作は、つまみ部１３を引っ張るだけの非常に簡便な操作である。また、折り畳み収納部１２を収納ケース本体部１１に収納する操作も、折り畳み収納部１２には折り癖がついているため簡単に三つ折り状態となり、且つ、引き出し機構があることによって、折り畳み収納部１２がスムーズにスライドしつつ収納ケース本体部１１の中に入っていくため、非常に操作性が良い。
これらから明らかなように、本実施形態の収納ケース１は、収納したもの（ポケットＰ４（外部個別収納部）に収納したものをも含む）を、パッと広げて、サッとしまえるという非常に利便性の高いものである。
【００１７】
本実施形態では、収納ケースの一例として筆入れについて説明したが、各種の小物入れや化粧品ポーチ、工具入れ等、収納対象物を選ばず適用することができる。
また、本実施形態では、収納ケース本体部１１がポリエステル生地で袋状に形成されたものを例としているが、その他の生地（布や革等）であってもよいことは勿論、収納ケース本体部１１が金属、ブラスチック、木その他の素材によって箱状に形成されるものであってもよい。
【００１８】
本実施形態では、引き出し機構が、収納ケース本体部１１の内面に両端を固定されたバンド（ひも状部材）１５と、折り畳み収納部１２の端部に取り付けられたリング（環状部材）１６とによって構成されるものを例としているが、本考案をこれに限るものではなく、折り畳み収納部１２を収納ケース本体部１１から引き出させる構造であればよい。例えば、レール機構等によって折り畳み収納部が摺動（往復スライド）可能に構成されるもの等であってよい。
【００１９】
本実施形態では、折り畳み収納部１２に形成される個別収納部（ポケットＰ１〜３）が、折り畳み収納部１２の同一面（正面側）に形成され、且つ、収納ケース本体部１１の外面に設けられる外部個別収納部（ポケットＰ４）も正面側に設けられるものを例としている。これにより、図５に示されるごとく、全てのポケットＰ１〜４が正面側を向くことになるため、収納ケース１に収納されたもの（筆記用具）の全てがどこにあるかが一目瞭然となり、出し入れの作業性も良好なものとなり、非常に好適なものであるが、本考案をこれに限るものではなく、例えば、折り畳み収納部の複数の面に対して個別収納部が形成されるものであっても良いし、また、収納ケース本体部の複数の面に対して外部個別収納部が形成されるもの等であってもよい。
【００２０】
本実施形態では、折り畳み収納部１２にポケットが複数形成されるものを例としているが、ポケットが１つだけのものであってもよい。
また、本実施形態では、折り畳みが横方向のみのものを例としているが、例えば、折り畳みが上下方向であるものの他、複数方向に折り畳めるもの等、折り畳み構造を変化させたりより多くしてもよい。なお、本実施形態のごとく、折り畳み箇所を偶数（本実施形態では２箇所の折り畳み線による、３つ折り構造）とすることにより、折り畳み収納部の端部（本実施形態においてつまみ部１３が形成されている側）が、収納ケース本体部の開口付近となるため、折り畳み収納部の引き出しや展開の作業が非常に容易であり、好適である。
【００２１】
本実施形態では、ポケットを個別収納部の例として説明しているが、本考案の個別収納部をポケットに限るものではなく、収納対象物に応じてそれぞれを収納し易い収納部であればよい。図６には、このようなものの一例として、比較的浅いポケット（Ｐ１〜Ｐ３）と、帯状の係止部（Ｂ１〜Ｂ３）と、によって個別収納部が構成されるものを示した。帯状の係止部Ｂ１〜Ｂ３は、それぞれの両端部が折り畳み収納部１２に縫いつけられているものであり、例えば筆記具のクリップ等を引っかけて収納することができるものである。
【符号の説明】
【００２２】
１．．．収納ケース
１１．．．収納ケース本体部
１２．．．折り畳み収納部
１３．．．つまみ部
１５．．．バンド（ひも状部材、引き出し機構）
１６．．．リング（環状部材、引き出し機構）
Ｐ１〜Ｐ３．．．ポケット（個別収納部）
Ｐ４．．．ポケット（外部個別収納部）
【図１】
0003206723.tif 000003
【図２】
0003206723.tif 000004
【図３】
0003206723.tif 000005
【図４】
0003206723.tif 000006
【図５】
0003206723.tif 000007
【図６】
0003206723.tif 000008